(57)【特許請求の範囲】
【請求項１】
調剤作業中に撮像を行う調剤撮像システムであり、
薬品の識別情報である薬品コード毎に、その薬品コードが示す薬品が置かれた薬品棚における位置を示す位置情報を記憶した位置記憶部と、
識別情報を読み取る読取装置から、薬品の薬品コードを取得する識別情報取得部と、
前記識別情報取得部が薬品の薬品コードを取得すると、取得した薬品コードが示す薬品について前記位置記憶部が記憶した位置情報が示す前記薬品の位置を撮像する撮像装置と
を備え、
前記識別情報取得部は、前記読取装置から調剤台の識別情報であり、調剤開始を示す台コードを取得し、
前記撮像装置は、前記識別情報取得部が調剤開始を示す台コードを取得すると、前記調剤台の位置を撮像する
調剤撮像システム。
【請求項２】
前記識別情報取得部は、前記読取装置から調剤終了を示す台コードを取得し、
前記撮像装置は、前記識別情報取得部が調剤終了を示す台コードを取得すると、投薬カウンターの位置を撮像する
請求項１に記載の調剤撮像システム。
【請求項３】
前記識別情報取得部は、前記薬品の薬品コードとともに、処方箋の識別情報である処方コードを取得し、
前記調剤撮像システムは、さらに、
前記撮像装置が撮像して得られた画像データを、前記識別情報取得部が取得した処方箋の処方コードと関連付けて記憶する画像記憶部
を備える請求項１又は２に記載の調剤撮像システム。
【請求項４】
前記読取装置は、薬品が取得される際に、取得される薬品の薬品コードを読み取り、
前記識別情報取得部は、前記読取装置が薬品コードを読み取ると、前記読取装置から読み取った薬品コードを取得する
請求項１から３までのいずれか１項に記載の調剤撮像システム。
【請求項５】
薬品の識別情報である薬品コード毎に、その薬品コードが示す薬品が置かれた薬品棚における位置を示す位置情報を記憶した位置記憶部を用い、調剤作業中に撮像装置により撮像を行う調剤撮像プログラムであり、
識別情報を読み取る読取装置から送信された、処方する薬品の薬品コードを取得する識別情報取得処理と、
前記識別情報取得処理で薬品の薬品コードを取得すると、取得した薬品コードが示す薬品について前記位置記憶部が記憶した位置情報を読み出して、読み出された位置情報が示す前記薬品の位置に撮像装置を向けるとともに、前記薬品の位置に焦点を合わせて撮像させる撮像処理と
をコンピュータに実行させ、
前記識別情報取得処理では、前記読取装置から送信された調剤台の識別情報であり、調剤開始を示す台コードを取得し、
前記撮像処理では、前記識別情報取得処理で調剤開始を示す台コードを取得すると、前記調剤台の位置に撮像装置を向けるとともに、前記調剤台の位置に焦点を合わせて撮像させる調剤撮像プログラム。
【発明の詳細な説明】
【技術分野】
【０００１】
この発明は、調剤作業を撮像する技術に関する。
【背景技術】
【０００２】
調剤作業を行う際、ＲＦＩＤ（Ｒａｄｉｏ  Ｆｒｅｑｕｅｎｃｙ  ＩＤｅｎｔｉｆｉｅｒ）タグが埋め込まれたカードを指定場所に置くと撮像が開始され、カードを取り外すと撮像が終了するシステムがある。
【０００３】
特許文献１には、調剤作業において、薬品棚から薬品の取得を行う際、薬品の容器等に付された識別情報を読み取り、処方箋情報が示す処方対象の薬品に、読み込まれた識別情報が示す薬品が含まれるかを判定することが記載されている。
【０００４】
調剤現場では、特許文献１に記載されたように、薬品棚から薬品の取得を行う際、薬品の容器等に付された識別情報を読み取り、薬品の確認を行うことにより、調剤過誤の防止が図られている場合がある。
【先行技術文献】
【特許文献】
【０００５】
【特許文献１】特開２００３−２８４７６０号公報
【発明の概要】
【発明が解決しようとする課題】
【０００６】
従来のように、カードを用いて撮像の開始及び終了を制御する方法では、カードを置き忘れれば撮像が行われないため、調剤作業が撮像されない場合がある。
この発明は、調剤作業を確実に撮像することを目的とする。
【課題を解決するための手段】
【０００７】
この発明に係る調剤撮像システムは、
薬品の識別情報毎に、その識別情報が示す薬品が置かれた位置を示す位置情報を記憶した位置記憶部と、
識別情報を読み取る読取装置から、薬品の識別情報を取得する識別情報取得部と、
前記識別情報取得部が薬品の識別情報を取得すると、取得した識別情報が示す薬品について前記位置記憶部が記憶した位置情報が示す位置を撮像する撮像部と
を備える。
【０００８】
前記識別情報取得部は、前記読取装置から調剤開始を示す識別情報を取得し、
前記撮像部は、前記識別情報取得部が調剤開始を示す識別情報を取得すると、調剤台の位置を撮像する。
【０００９】
前記識別情報取得部は、前記読取装置から調剤終了を示す識別情報を取得し、
前記撮像部は、前記識別情報取得部が調剤終了を示す識別情報を取得すると、投薬カウンターの位置を撮像する。
【００１０】
前記識別情報取得部は、前記薬品の識別情報とともに、処方箋の識別情報を取得し、
前記調剤撮像システムは、さらに、
前記撮像部が撮像して得られた画像データを、前記識別情報取得部が取得した処方箋の識別情報と関連付けて記憶する画像記憶部
を備える。
【００１１】
前記読取装置は、薬品が取得される際に、取得される薬品の識別情報を読み取り、
前記識別情報取得部は、前記読取装置が識別情報を読み取ると、前記読取装置から読み取った識別情報を取得する。
【００１２】
この発明に係る調剤撮像プログラムは、
薬品の識別情報毎に、その識別情報が示す薬品が置かれた位置を示す位置情報を記憶した位置記憶部を用いる調剤撮像プログラムであり、
識別情報を読み取る読取装置から、薬品の識別情報を取得する識別情報取得処理と、
前記識別情報取得処理で薬品の識別情報を取得すると、取得した識別情報が示す薬品について前記位置記憶部が記憶した位置情報が示す位置を撮像する撮像処理と
をコンピュータに実行させる。
【発明の効果】
【００１３】
この発明では、薬品の識別情報を取得すると、その薬品が置かれた位置を撮像する。薬品棚から薬品の取得を行う際、薬品の識別情報を読み取り、薬品の確認を行うことが行われている調剤現場では、薬品の取得を行う際、必ず薬品の識別情報を取得できる。そのため、調剤作業を確実に撮像することができる。
【図面の簡単な説明】
【００１４】
【図１】実施の形態１に係る調剤撮像システム１００の概要説明図。
【図２】画像の撮像位置と撮像期間との説明図。
【図３】実施の形態１に係る調剤撮像システム１００の構成図。
【図４】位置記憶部１１１が記憶する情報を示す図。
【図５】撮像装置記憶部１１２が記憶する情報を示す図。
【図６】処方情報記憶部１１３が記憶する情報を示す図。
【図７】画像記憶部１１４が記憶する情報を示す図。
【図８】撮像情報記憶部１２１が記憶する情報を示す図。
【図９】薬品情報記憶部１３１が記憶する情報を示す図。
【図１０】受付処理を示すフローチャート。
【図１１】取得処理を示すフローチャート。
【図１２】調剤投薬処理を示すフローチャート。
【図１３】画像再生処理を示すフローチャート。
【図１４】画像の撮像位置と撮像期間との説明図。
【図１５】実施の形態１に係るレセプトコンピュータ１１０と画像管理装置１２０と読取装置１３０とのハードウェア構成例を示す図。
【発明を実施するための形態】
【００１５】
実施の形態１．
＊＊＊概要の説明＊＊＊
図１に基づき、実施の形態１に係る調剤撮像システム１００の概要を説明する。
調剤撮像システム１００は、調剤作業を撮像するためのシステムである。ここでは、薬品の袋詰め等の作業だけでなく、処方箋を受け付けてから、薬品を利用者に渡すまでの一連の作業を調剤作業と呼ぶ。
調剤撮像システム１００は、レセプトコンピュータ１１０と、画像管理装置１２０と、ハンディターミナルと呼ばれる読取装置１３０と、複数の撮像装置１４０（ここでは、撮像装置１４０Ａ〜１４０Ｄ）とを備える。なお、ここでは、レセプトコンピュータ１１０と画像管理装置１２０とを別の装置としたが、レセプトコンピュータ１１０と画像管理装置１２０とは１台の装置で構成されてもよい。
【００１６】
作業員は、利用者から処方箋を受け取ると、処方箋情報をレセプトコンピュータ１１０に入力する。
すると、レセプトコンピュータ１１０は、処方箋に記載された処方する薬品毎に対応する撮像装置１４０を特定し、薬品毎に特定した撮像装置１４０を画像管理装置１２０に通知する。ここでは、薬品毎に、撮像装置１４０Ａ又は撮像装置１４０Ｂが特定される。また、レセプトコンピュータ１１０は、処方箋に記載された処方する薬品の情報を読取装置１３０に送信する。
【００１７】
作業員は、処方する薬品の情報が送信された読取装置１３０を持って、処方する薬品の取得作業を行う。
この際、作業員は、処方する薬品が置かれた薬品棚１１へ行き、薬品棚１１の薬品が置かれた位置、又は、薬品の容器に付された薬品の識別情報である薬品コードを読取装置１３０で読み取った上で、薬品を取得する。ここでは、薬品コードがバーコードとして付されており、作業員は読取装置１３０によりバーコードを読み取る。もちろん、バーコードでなく、２次元コード等であってもよい。
読取装置１３０は、薬品コードを読み取ると、読み取った薬品コードを画像管理装置１２０に送信する。画像管理装置１２０は、薬品コードを受信すると、薬品コードにより識別される薬品に対して特定された撮像装置１４０を起動して、薬品が置かれた薬品棚１１の位置を撮像する。この際、薬品が置かれた薬品棚１１の位置に焦点が合わされて、撮像される。
【００１８】
処方する薬品が複数ある場合には、薬品コードの読み取りと薬品の取得とが順に行われ、薬品コードが読み取られた薬品が置かれた薬品棚１１の位置が順に撮像される。
【００１９】
作業員は、全ての薬品を取得し終わると、取得した薬品を持って、調剤台１２に行く。そして、作業員は、調剤台１２で薬品の袋詰め等を行う。
調剤台１２には、調剤台１２の識別情報である台コードを示すバーコードが付されている。作業員は、調剤台１２に着くと、読取装置１３０で調剤台１２に付されたバーコードを読み取った上で、薬品の袋詰め等の作業を行う。
読取装置１３０は、調剤台１２の台コードを読み取ると、読み取った台コードを画像管理装置１２０に送信する。画像管理装置１２０は、調剤台１２の台コードを受信すると、調剤台１２に対応する撮像装置１４０Ｃにより、調剤台１２を撮像する。
【００２０】
作業員は、薬品の袋詰め等が終わると、読取装置１３０で調剤台１２に付されたバーコードを再び読み取った上で、投薬カウンター１３に行く。そして、作業員は、投薬カウンター１３越しに、袋詰めされた薬品を利用者に渡す。この際、作業員は、利用者に渡す薬品の注意事項の説明等の投薬指導を利用者に行う。
読取装置１３０は、調剤台１２の台コードを読み取ると、読み取った台コードを画像管理装置１２０に送信する。画像管理装置１２０は、調剤台１２の台コードを再び受信すると、投薬カウンター１３に対応する撮像装置１４０Ｄにより、投薬カウンター１３を撮像する。
【００２１】
作業員は、投薬作業が終わると、再び調剤台１２に行き、調剤台１２に付されたバーコードを再び読み取る。これにより、受け取った処方箋についての調剤作業が終了する。
読取装置１３０は、調剤台１２の台コードを読み取ると、読み取った台コードを画像管理装置１２０に送信する。画像管理装置１２０は、調剤台１２の台コードを再び受信すると、投薬カウンター１３の位置の撮像を終了する。
【００２２】
図２に基づき、画像の撮像位置と撮像期間とを説明する。
図２では、薬品ａ，ｂ，ｃが順に取得された後、袋詰め・監査等が行われ、投薬が行われる場合を示している。また、薬品ａ，ｃには、撮像装置１４０Ａが対応し、薬品ｂには、撮像装置１４０Ｂが対応し、調剤台１２には、撮像装置１４０Ｃが対応し、投薬カウンター１３には、撮像装置１４０Ｄが対応する。
まず、薬品ａの薬品コードが読み取られ、薬品ａが置かれた位置が撮像される。次に、薬品ｂの薬品コードが読み取られ、薬品ａが置かれた位置の撮像が終了し、薬品ｂが置かれた位置が撮像される。次に、薬品ｃの薬品コードが読み取られ、薬品ｂが置かれた位置の撮像が終了し、薬品ｃが置かれた位置が撮像される。
そして、調剤台１２の台コードが読み取られ、薬品ｃが置かれた位置の撮像が終了し、調剤台１２の位置が撮像される。再び調剤台１２の台コードが読み取られ、調剤台１２の位置の撮像が終了し、投薬カウンター１３の位置が撮像される。再び調剤台１２の台コードが読み取られると、投薬カウンター１３の位置の撮像が終了する。
【００２３】
＊＊＊構成の説明＊＊＊
図３に基づき、実施の形態１に係る調剤撮像システム１００の構成を説明する。
調剤撮像システム１００は、上述した通り、レセプトコンピュータ１１０と、画像管理装置１２０と、読取装置１３０と、複数の撮像装置１４０とを備える。
【００２４】
＜レセプトコンピュータ１１０＞
レセプトコンピュータ１１０は、位置記憶部１１１と、撮像装置記憶部１１２と、処方情報記憶部１１３と、画像記憶部１１４と、処方箋受付部１１５と、撮像装置特定部１１６と、処方箋送信部１１７と、画像再生部１１８とを備える。
【００２５】
位置記憶部１１１は、薬品の薬品コード毎に、その薬品コードが示す薬品が置かれた位置を示す位置情報を予め記憶した記憶装置である。
図４に示すように、位置記憶部１１１は、薬品コード毎に、薬品の名称である薬品名と、薬品が置かれた薬品棚１１の識別情報である棚番コードと、薬品棚１１の位置を示す位置情報である３次元座標値とを記憶している。ここでは、棚番コードは、薬品棚１１における引出の位置を示している。
【００２６】
撮像装置記憶部１１２は、撮像装置１４０の識別情報であるカメラ番号毎に、そのカメラ番号が示す撮像装置１４０の設置位置を示す位置情報を予め記憶した記憶装置である。
図５に示すように、撮像装置記憶部１１２は、カメラ番号毎に、設置位置を示す３次元座標値を記憶している。
【００２７】
処方情報記憶部１１３は、処方箋の情報を記憶する記憶装置である。
図６に示すように処方情報記憶部１１３は、処方箋の識別情報である処方コード毎に、患者の識別情報である患者コードと、調剤を行った日付である調剤日付と、処方した薬品の薬品コードと等を記憶している。処方した薬品が複数ある場合には、処方コードに対して、複数の薬品コードが記憶される。
【００２８】
画像記憶部１１４は、撮像装置１４０によって撮像された画像情報を記憶する記憶装置である。
図７に示すように、画像記憶部１１４は、処方コード毎に、連番と、撮像を開始した時刻を示す開始時刻と、撮像した撮像装置１４０のカメラ番号と、画像情報とを記憶している。
なお、図１，２に基づき説明したように、１つの処方箋に対して、薬品棚１１の画像情報と、調剤台１２の画像情報と、投薬カウンター１３の画像情報とが撮像され、処方する薬品が複数ある場合には、各薬品についての画像情報が撮像される。つまり、１つの処方箋に対して、複数の画像情報が撮像される。そのため、処方コードだけでは画像情報を識別できないため、連番が設けられている。連番は、開始時刻の早い順に１から順に割り当てられた番号である。
【００２９】
処方箋受付部１１５は、作業員の操作により入力された処方箋の情報を受け付ける。処方箋の情報には、処方コードと、患者コードと、処方する薬品の薬品名及び薬品コードとが記載されている。
処方箋受付部１１５は、受け付けた処方箋の情報を処方情報記憶部１１３に格納する。
【００３０】
撮像装置特定部１１６は、処方箋受付部１１５が受け付けた処方箋の情報に含まれる処方する薬品毎に、対応する撮像装置１４０を特定し、特定した撮像装置１４０を向ける撮像向きと、焦点距離とを特定する。
ここでは、撮像装置特定部１１６は、薬品が置かれた位置に最も近い位置に設置された撮像装置１４０を、その薬品に対応する撮像装置１４０として特定する。そして、撮像装置特定部１１６は、特定した撮像装置１４０から薬品への方向を撮像向きとして特定するとともに、特定した撮像装置１４０と、薬品が置かれた位置との間の距離を焦点距離として特定する。
具体的には、撮像装置特定部１１６は、位置記憶部１１１が記憶した薬品の３次元座標値と、撮像装置記憶部１１２が記憶した各撮像装置１４０の３次元座標値とから、薬品が置かれた位置と、各撮像装置１４０が設置された位置との間の距離を計算する。そして、撮像装置特定部１１６は、計算した距離が最も短い撮像装置１４０を、その薬品に対応する撮像装置１４０として特定する。また、撮像装置特定部１１６は、薬品の３次元座標値と、特定した撮像装置１４０の３次元座標値とから、特定した撮像装置１４０に対する薬品が置かれた位置の方向を計算して、特定した方向を撮像向きとして特定する。また、撮像装置特定部１１６は、薬品が置かれた位置と撮像装置１４０との間の距離を、焦点距離として特定する。
撮像装置特定部１１６は、処方コード及び薬品コードとともに、その薬品コードが示す薬品について特定した撮像装置１４０と撮像向きと焦点距離とを、画像管理装置１２０に送信する。
【００３１】
処方箋送信部１１７は、処方箋受付部１１５が受け付けた処方箋の情報を、読取装置１３０に送信する。
【００３２】
画像再生部１１８は、作業員の操作により入力されたキーワードを受け付け、受け付けたキーワードにより画像記憶部１１４から画像情報を検索する。画像再生部１１８は、検索された画像情報のうち、指定された画像情報を再生する。
【００３３】
＜画像管理装置１２０＞
画像管理装置１２０は、撮像情報記憶部１２１と、撮像情報受信部１２２と、識別情報取得部１２３と、撮像部１２４と、画像送信部１２５とを備える。
【００３４】
撮像情報記憶部１２１は、薬品コード毎に、その薬品コードが示す薬品についての撮像情報を記憶する記憶装置である。
図８に示すように、撮像情報記憶部１２１は、薬品コード毎に、処方コードと、カメラ番号と、撮像向きと、焦点距離とを記憶している。
【００３５】
撮像情報受信部１２２は、撮像装置特定部１１６が送信した薬品コードと、その薬品コードが示す薬品について特定された撮像装置１４０と撮像向きと焦点距離とを、処方コードとともに受信する。撮像情報受信部１２２は、受信した情報を画像管理装置１２０に格納する。
【００３６】
識別情報取得部１２３は、読取装置から、処方コードとともに、薬品コード、又は、台コードを取得する。
ここでは、識別情報取得部１２３は、台コードを初めに取得した場合には、台コードを調剤開始を示す識別情報として扱い、台コードを再び取得した場合には、台コードを調剤終了を示す識別情報として扱う。また、識別情報取得部１２３は、さらに台コードを取得した場合には、台コードを投薬終了を示す識別情報として扱う。
【００３７】
撮像部１２４は、識別情報取得部１２３が薬品コードを取得すると、取得した薬品コードが示す薬品について位置記憶部１１１が記憶した位置情報が示す位置を撮像する。ここでは、撮像部１２４は、処方コード及び薬品コードを取得すると、取得した処方コード及び薬品コードについて撮像情報受信部１２２が記憶したレコードを読み出す。そして、撮像部１２４は、読み出したレコードのカメラ番号が示す撮像装置１４０を、撮像向きが示す方向に向け、焦点距離が示す位置に焦点を合わせて撮像する。
また、撮像部１２４は、識別情報取得部１２３が調剤開始を示す識別情報を取得すると、調剤台１２に対応する撮像装置１４０により調剤台１２の位置を撮像する。また、撮像部１２４は、識別情報取得部１２３が調剤終了を示す識別情報を取得すると、投薬カウンター１３に対応する撮像装置１４０により投薬カウンター１３の位置を撮像する。また、撮像部１２４は、識別情報取得部１２３が投薬終了を示す識別情報を取得すると、撮像を終了する。
【００３８】
画像送信部１２５は、撮像部１２４が撮像して得た画像情報を、レセプトコンピュータ１１０に送信して、画像記憶部１１４に格納する。この際、画像送信部１２５は、処方コードと、撮像を開始した開始時刻と、カメラ番号とともに、画像情報を送信する。
また、画像送信部１２５は、開始時刻を示す日時と、撮像した撮像装置１４０のカメラ番号とを、画像情報のファイル名に含める。薬品コードも画像情報のファイル名に含めてもよい。
【００３９】
＜読取装置１３０＞
読取装置１３０は、薬品情報記憶部１３１と、処方箋受信部１３２と、読取部１３３とを備える。
【００４０】
薬品情報記憶部１３１は、ある処方箋について、処方する薬品の情報を記憶する記憶装置である。
図９に示すように、薬品情報記憶部１３１は、処方コード毎に、薬品コードと、薬品名とを記憶している。
【００４１】
処方箋受信部１３２は、レセプトコンピュータ１１０の処方箋送信部１１７が送信した処方箋の情報を受信する。処方箋受信部１３２は、受信した処方箋の情報を薬品情報記憶部１３１に格納する。
【００４２】
読取部１３３は、バーコードを読み取り、薬品コード、又は、台コードの識別情報を取得する。識別情報取得部１２３は、識別情報を取得すると、取得した識別情報を、薬品情報記憶部１３１に記憶された処方コードとともに、画像管理装置１２０に送信する。
【００４３】
＊＊＊動作の説明＊＊＊
図１０から図１３に基づき、実施の形態１に係る調剤撮像システム１００の動作を説明する。
実施の形態１に係る調剤撮像システム１００の動作は、実施の形態１に係る調剤撮像方法に相当する。また、実施の形態１に係る調剤撮像システム１００の動作は、実施の形態１に係る調剤撮像プログラムの処理に対応する。
【００４４】
まず、図１０に示す受付処理が実行される。
受付処理は、処方箋を受け付けてから、薬品の取得前までの処理である。
【００４５】
Ｓ１１の処方箋受付処理では、処方箋受付部１１５は、処方箋の情報を受け付ける。
【００４６】
Ｓ１２の撮像装置特定処理では、撮像装置特定部１１６は、Ｓ１１で受け付けられた処方箋の情報に含まれる各薬品について、対応する撮像装置１４０と撮像向きと焦点距離とを特定する。撮像装置特定部１１６は、各薬品について、処方コード及び薬品コードとともに、特定した撮像装置１４０と撮像向きと焦点距離とを、画像管理装置１２０に送信する。
すると、撮像情報受信部１２２は、送信された情報を受信し、受信した情報を撮像情報記憶部１２１に格納する。
【００４７】
Ｓ１３の処方箋送信処理では、処方箋送信部１１７は、Ｓ１１で受け付けられた処方箋の情報を、読取装置１３０に送信する。
すると、処方箋受信部１３２は、送信された情報を受信し、受信した情報を薬品情報記憶部１３１に格納する。
【００４８】
次に、図１１に示す取得処理が実行される。
取得処理は、処方する薬品を薬品棚１１から取得する処理である。取得処理は、処方する薬品の分だけ繰り返される。
【００４９】
Ｓ２１の薬品コード読取処理では、読取部１３３は、処方する薬品の薬品コードを読み取る。読取部１３３は、処方コードとともに、読み取った薬品コードを画像管理装置１２０に送信する。
【００５０】
Ｓ２２の識別情報取得処理では、識別情報取得部１２３は、Ｓ２１で送信された処方コード及び薬品コードを取得する。
【００５１】
Ｓ２３の薬品撮像処理では、撮像部１２４は、Ｓ２２で取得された処方コード及び薬品コードについて撮像情報受信部１２２が記憶したレコードを読み出す。そして、撮像部１２４は、読み出したレコードのカメラ番号が示す撮像装置１４０を、撮像向きが示す方向に向け、焦点距離が示す位置に焦点を合わせて撮像する。撮像部１２４は、撮像して得た画像情報を、Ｓ２２で取得された処方コードとともに、レセプトコンピュータ１１０に送信する。
撮像部１２４は、次に薬品コード又は台コードが読み取られるまで、撮像を継続する。
【００５２】
処方する全ての薬品が取得されると、図１２に示す調剤投薬処理が実行される。
調剤投薬処理は、取得された薬品の袋詰めや監査等の作業から、利用者への投薬までの処理である。
【００５３】
Ｓ３１の第１台コード読取処理では、読取部１３３は、台コードを読み取る。読取部１３３は、処方コードとともに、読み取った台コードを画像管理装置１２０に送信する。
【００５４】
Ｓ３２の第１識別情報取得処理では、識別情報取得部１２３は、Ｓ３１で送信された処方コード及び台コードを取得する。
【００５５】
Ｓ３３の調剤撮像処理では、撮像部１２４は、調剤台１２に対応する撮像装置１４０により、調剤台１２の位置を撮像する。撮像部１２４は、撮像して得た画像情報を、Ｓ３２で取得された処方コードとともに、レセプトコンピュータ１１０に送信する。
【００５６】
Ｓ３４の第２台コード読取処理では、読取部１３３は、台コードを読み取る。読取部１３３は、処方コードとともに、読み取った台コードを画像管理装置１２０に送信する。
【００５７】
Ｓ３５の第２識別情報取得処理では、識別情報取得部１２３は、Ｓ３４で送信された処方コード及び台コードを取得する。
【００５８】
Ｓ３６の投薬撮像処理では、撮像部１２４は、調剤台１２の位置の撮像を終了し、投薬カウンター１３に対応する撮像装置１４０により、投薬カウンター１３の位置を撮像する。撮像部１２４は、撮像して得た画像情報を、Ｓ３５で取得された処方コードとともに、レセプトコンピュータ１１０に送信する。
【００５９】
Ｓ３７の第３台コード読取処理では、読取部１３３は、台コードを読み取る。読取部１３３は、処方コードとともに、読み取った台コードを画像管理装置１２０に送信する。
【００６０】
Ｓ３８の第３識別情報取得処理では、識別情報取得部１２３は、Ｓ３４で送信された処方コード及び台コードを取得する。
【００６１】
Ｓ３９の投薬撮像処理では、撮像部１２４は、投薬カウンター１３の位置の撮像を終了する。
【００６２】
画像情報の確認を行う場合に、図１３に示す画像再生処理が実行される。
【００６３】
Ｓ４１のキーワード受付処理では、画像再生部１１８は、キーワードの入力を受け付け、受け付けたキーワードにより画像情報を検索する。ここでは、画像再生部１１８は、処方コードと、患者コードと、患者名と、調剤日と、薬品コードと、薬品名と等をキーワードとして受け付ける。
【００６４】
Ｓ４２の画像再生処理では、画像再生部１１８は、検索した画像情報を一覧表示して、再生する画像情報を選択させる。そして、画像再生部１１８は、選択された画像情報を再生する。
【００６５】
＊＊＊効果の説明＊＊＊
以上のように、実施の形態１に係る調剤撮像システム１００では、読取装置１３０によって薬品コードが読み取られると、薬品コードが示す薬品が置かれた位置を撮像する。
薬品棚１１から薬品の取得を行う際、薬品コードを読み取り、薬品の確認を行うことが行われている調剤現場では、薬品の取得を行う際、必ず薬品コードが取得される。そのため、薬品の取得作業を確実に撮像することができる。
【００６６】
また、実施の形態１に係る調剤撮像システム１００では、薬剤を取得した後の、袋詰め等の狭義の調剤と、監査と、投薬との作業も撮像することができる。
【００６７】
また、実施の形態１に係る調剤撮像システム１００では、薬品が置かれた位置に焦点を合わせて撮像する。そのため、薬品の容器等に記載された文字まで鮮明に撮像することが可能となる。これにより、後に取得した薬品が本当に正しいものであったかの検証を行うことができる。
【００６８】
調剤作業の撮像が確実に行われるため、薬品の取り違え等の調剤過誤が発生した際の確認を行うことができる。また、調剤過誤に対する証拠にも成り得る。また、作業員による薬品の盗難の抑止にもつながる。
【００６９】
また、業務の効率化に役立てることができる。
例えば、薬品取得時の撮像装置１４０の焦点の移動が大きい、又は、撮像する撮像装置１４０の切り替えが多い場合には、薬品の取得作業が効率的でないことが考えられる。これにより、薬品棚１１のレイアウト等を再考するきっかけになる。
【００７０】
なお、上記説明では、調剤台１２の台コードが初めに読み取られた場合に、調剤台１２の位置が撮像されるとした。しかし、薬品コードの読み取りと違い、台コードの読み取りは忘れられる可能性がある。
そこで、処方する薬品が全て取得された場合に、調剤台１２の位置が撮像されるとしてもよい。具体的には、図１４に示すように、最後の薬品の薬品コードが読み取られた場合に、その薬品コードが示す薬品の位置が撮像されるとともに、調剤台１２の位置が撮像されるようにする。つまり、最後の薬品の薬品コードを、調剤開始を示す識別情報として扱う。これにより、調剤台１２で行われる袋詰め等の作業も確実に撮像することができる。
【００７１】
また、上記説明では、調剤台１２の台コードが再び読み取られた場合に、投薬カウンター１３の位置が撮像されるとした。しかし、薬品コードの読み取りと違い、台コードの読み取りは忘れられる可能性がある。
そこで、投薬カウンター１３に設置されたレジ１４が操作された場合に、投薬カウンター１３の位置が撮像されるとしてもよい。つまり、レジ１４から送信される信号を、調剤終了を示す識別情報として扱う。これにより、投薬カウンター１３で行われる投薬作業も確実に撮像することができる。このとき、投薬カウンター１３が複数存在し、投薬カウンター１３毎に撮像装置１４０が備え付けられている場合、画像管理装置１２０が各投薬カウンター１３について撮像中かどうかをチェックし、撮像中でない（使用されていない）投薬カウンター１３を割り当てることも可能である。ここで、薬剤師がどの投薬カウンター１３を使用するか、撮像開始と連動してＬＥＤ等で知らせるようにすればよい。
【００７２】
また、上記説明では、各作業を１台の撮像装置１４０で撮像することを想定して説明した。しかし、各作業を複数台の撮像装置１４０で撮像してもよい。これにより、作業員の死角になり、薬品が撮像できないといったことを防止することができる。
【００７３】
また、複数の作業員が同時に、それぞれ別の処方箋についての調剤作業を行う場合がある。この場合、ある作業員の作業を撮像している撮像装置１４０が、他の作業員の作業の撮像に割り当てられている可能性がある。
そこで、このように、複数の作業員が同時に調剤作業を行う場合には、各薬品について、複数の撮像装置１４０を特定しておき、特定された撮像装置１４０のうちの使用されていない撮像装置１４０で撮像を行うようにすればよい。
【００７４】
また、上記説明では、調剤台１２が１つだけであることを想定して説明した。しかし、調剤台１２が複数存在する場合には、撮像部１２４は、取得した台コードが示す調剤台１２を撮像すればよい。また、同じ調剤台１２に複数の台コードを付してもよい。位置記憶部１１１にそれぞれの台コードに対応した位置情報を保持させておき、読み取った台コードに応じて撮像装置１４０の撮像する方向及び焦点の位置を合わせることも可能である。
【００７５】
また、上記説明では、薬品コードが示す薬品に応じて、撮像する方向及び焦点の位置を合わせるとした。さらに、薬品に応じて、露出を制御してもよい。例えば、薬品が白い場合、露出を適切に設定しないと、薬品を鮮明に撮像できない可能性がある。そこで、薬品に応じて露出を制御することにより、鮮明な画像情報を得ることが可能になる。
【００７６】
図１５は、実施の形態１に係るレセプトコンピュータ１１０と画像管理装置１２０と読取装置１３０とのハードウェア構成例を示す図である。
レセプトコンピュータ１１０と画像管理装置１２０と読取装置１３０とはコンピュータである。
レセプトコンピュータ１１０と画像管理装置１２０と読取装置１３０とは、プロセッサ９０１、補助記憶装置９０２、メモリ９０３、通信装置９０４、入力インタフェース９０５、ディスプレイインタフェース９０６といったハードウェアを備える。
プロセッサ９０１は、信号線９１０を介して他のハードウェアと接続され、これら他のハードウェアを制御する。
入力インタフェース９０５は、ケーブル９１１により入力装置９０７に接続されている。
ディスプレイインタフェース９０６は、ケーブル９１２によりディスプレイ９０８に接続されている。
【００７７】
プロセッサ９０１は、プロセッシングを行うＩＣ（Ｉｎｔｅｇｒａｔｅｄ  Ｃｉｒｃｕｉｔ）である。プロセッサ９０１は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、例えば、ＲＡＭ（Ｒａｎｄｏｍ  Ａｃｃｅｓｓ  Ｍｅｍｏｒｙ）である。
通信装置９０４は、データを受信するレシーバー９０４１及びデータを送信するトランスミッター９０４２を含む。通信装置９０４は、例えば、通信チップ又はＮＩＣ（Ｎｅｔｗｏｒｋ  Ｉｎｔｅｒｆａｃｅ  Ｃａｒｄ）である。
入力インタフェース９０５は、入力装置９０７のケーブル９１１が接続されるポートである。入力インタフェース９０５は、例えば、ＵＳＢ（Ｕｎｉｖｅｒｓａｌ  Ｓｅｒｉａｌ  Ｂｕｓ）端子である。
ディスプレイインタフェース９０６は、ディスプレイ９０８のケーブル９１２が接続されるポートである。ディスプレイインタフェース９０６は、例えば、ＵＳＢ端子又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。
入力装置９０７は、例えば、マウス、キーボード又はタッチパネルである。
ディスプレイ９０８は、例えば、ＬＣＤ（Ｌｉｑｕｉｄ  Ｃｒｙｓｔａｌ  Ｄｉｓｐｌａｙ）である。
【００７８】
補助記憶装置９０２には、上述した処方箋受付部１１５、撮像装置特定部１１６、処方箋送信部１１７、画像再生部１１８、撮像情報受信部１２２、識別情報取得部１２３、撮像部１２４、処方箋受信部１３２、読取部１３３（以下、処方箋受付部１１５、撮像装置特定部１１６、処方箋送信部１１７、画像再生部１１８、撮像情報受信部１２２、識別情報取得部１２３、撮像部１２４、処方箋受信部１３２、読取部１３３をまとめて「部」と表記する）の機能を実現するプログラムが記憶されている。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。
そして、ＯＳの少なくとも一部がメモリ９０３にロードされ、プロセッサ９０１はＯＳを実行しながら、「部」の機能を実現するプログラムを実行する。
図１５では、１つのプロセッサ９０１が図示されているが、レセプトコンピュータ１１０と画像管理装置１２０と読取装置１３０とが複数のプロセッサ９０１を備えていてもよい。そして、複数のプロセッサ９０１が「部」の機能を実現するプログラムを連携して実行してもよい。
また、「部」の処理の結果を示す情報やデータや信号値や変数値と、位置記憶部１１１と撮像装置記憶部１１２と処方情報記憶部１１３と画像記憶部１１４と撮像情報記憶部１２１と薬品情報記憶部１３１とが記憶するとした情報やデータや信号値や変数値とが、メモリ９０３、補助記憶装置９０２、又は、プロセッサ９０１内のレジスタ又はキャッシュメモリにファイルとして記憶される。
【００７９】
「部」を「サーキットリー」で提供してもよい。また、「部」を「回路」又は「工程」又は「手順」又は「処理」に読み替えてもよい。「回路」及び「サーキットリー」は、プロセッサ９０１だけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【符号の説明】
【００８０】
１１  薬品棚、１２  調剤台、１３  投薬カウンター、１００  調剤撮像システム、１１０  レセプトコンピュータ、１１１  位置記憶部、１１２  撮像装置記憶部、１１３  処方情報記憶部、１１４  画像記憶部、１１５  処方箋受付部、１１６  撮像装置特定部、１１７  処方箋送信部、１１８  画像再生部、１２０  画像管理装置、１２１  撮像情報記憶部、１２２  撮像情報受信部、１２３  識別情報取得部、１２４  撮像部、１３０  読取装置、１３１  薬品情報記憶部、１３２  処方箋受信部、１３３  読取部、１４０  撮像装置。
【要約】
【課題】調剤作業を確実に撮像することを目的とする。
【解決手段】位置記憶部１１１は、薬品の識別情報毎に、その識別情報が示す薬品が置かれた位置を示す位置情報を記憶する。識別情報取得部１２３は、識別情報を読み取る読取装置１３０から、薬品の識別情報を取得する。撮像部１２４は、識別情報取得部１２３が薬品の識別情報を取得すると、取得した識別情報が示す薬品について位置記憶部１１１が記憶した位置情報が示す位置を撮像する。
【選択図】図３【図１】
0005951065.tif 000002
【図２】
0005951065.tif 000003
【図３】
0005951065.tif 000004
【図４】
0005951065.tif 000005
【図５】
0005951065.tif 000006
【図６】
0005951065.tif 000007
【図７】
0005951065.tif 000008
【図８】
0005951065.tif 000009
【図９】
0005951065.tif 000010
【図１０】
0005951065.tif 000011
【図１１】
0005951065.tif 000012
【図１２】
0005951065.tif 000013
【図１３】
0005951065.tif 000014
【図１４】
0005951065.tif 000015
【図１５】
0005951065.tif 000016